(57)【要約】  不均一な敷石で機械的に舗装するための舗装システムは、敷くのに適するように順序付けられた形態で１組の敷石を予め順序付けるための事前順序付け部（３，１０）と、基礎地盤（７）上に前記順序づけられた形態で前記１組の敷石を移動させるための運搬部（５，１１）と、を有する。前記事前順序づけ部及び／又は前記運搬部には、前記敷石の厚みの差を克服するために前記敷石の底面において一方の側面から他方の側面まで形成された矩形の凹所に適合するための複数の補助ガイドレールが設けられる。該補助ガイドレールは、前記凹所間の間隔に対応するように選択された規則的な距離を相互に空けて延設されるとともに、前記凹所の形状に相補的となるように選択された所定の形状を有する。
2010539355.tif 000002
【特許請求の範囲】
【請求項１】
敷くのに適するように順序付けられた形態で１組の敷石を予め順序付けるための事前順序付け部（３，１０）と、
基礎地盤（７）上に前記順序づけられた形態で前記１組の敷石を移動させるための運搬部（５，１１）と、を備えた、不均一な敷石で機械的に舗装するための舗装システムであって、
前記事前順序づけ部及び／又は前記運搬部に、前記敷石の厚みの差を克服するために前記敷石の底面において一方の側面から他方の側面まで形成された矩形の凹所に適合するための複数の補助ガイドレールが設けられ、
該補助ガイドレールは、前記凹所間の間隔に対応するように選択された規則的な距離を相互に空けて延設されるとともに、前記凹所の形状に相補的となるように選択された所定の形状を有することを特徴とする舗装システム。
【請求項２】
前記事前順序づけ部（３）は、前記１組の不均一な敷石を支持するために前記補助ガイドレール（２）が載置される平らな支持面を有することを特徴とする請求項１に記載の舗装システム。
【請求項３】
前記運搬部は、前記平らな支持面から前記１組の不均一な敷石を順序づけられた形態で持ち上げ、且つ、該１組の敷石を前記基礎地盤上に載置するための保持装置（５）を有することを特徴とする請求項２に記載の舗装システム。
【請求項４】
前記保持装置（５）は、前記１組の不均一な敷石を保持するための真空ユニット（４）を有することを特徴とする請求項３に記載の舗装システム。
【請求項５】
前記保持装置は、前記１組の不均一な敷石を機械的に持ち上げるためのクランプを有することを特徴とする請求項３に記載の舗装システム。
【請求項６】
前記補助ガイドレールは、前記事前順序づけ部の前記平らな支持面上に取り外し可能に配置され、
前記保持装置は、前記補助ガイドレールに沿って前記１組の不均一な敷石を持ち上げるように設けられていることを特徴とする請求項３に記載の舗装システム。
【請求項７】
前記運搬部は、前記事前順序づけ部の前記補助ガイドレールを延長して構成された更なる補助ガイドレールを有し、
該更なる補助ガイドレールは、前記事前順序づけ部の高さから前記基礎地盤の高さまで傾斜方向に延設され、且つ、前記１組の不均一な敷石を前記順序づけられた形態で前記基礎地盤へ移動させるためのスライド面を形成することを特徴とする請求項２に記載の舗装システム。
【請求項８】
前記補助ガイドレールは、前記事前順序づけ部の前記平らな支持面上に取り外し可能に配置され、
前記運搬部は、重力によって駆動される観覧車タイプ構造を有し、
該観覧車タイプ構造は、前記補助ガイドレールを解放可能に保持するための解放可能保持手段を有することを特徴とする請求項２に記載の舗装システム。
【請求項９】
前記事前順序付け部（１０）と前記運搬部（１１）とは、１つの舗装装置内で結合されており、
該舗装装置は、前記不均一な敷石が逆さまの状態で前記順序付けられた形態で予め順序付けられるコンベアベルト（１０）と、反転して前記不均一な敷石を前記基礎地盤上に前記順序付けられた形態で載置するための、前記コンベアベルトの端部（１４）における曲がり部（１１）とを備え、
該曲がり部（１１）に、反転されながら前記不均一な敷石を前記順序付けられた形態で保持するために前記補助ガイドレールが設けられていることを特徴とする請求項１に記載の舗装システム。
【請求項１０】
前記舗装装置は、前記曲がり部（１１）に前記補助ガイドレール（１８）を供給するための供給装置（１２）を備え、
前記曲がり部は、前記補助ガイドレールを前記不均一な敷石とともに前記基礎地盤上に載置するように設けられていることを特徴とする請求項９に記載の舗装システム。
【請求項１１】
前記基礎地盤上で前記不均一な敷石を先に敷かれた敷石に対して位置決めすることを援助するための位置決め装置（６，１３，１５）をさらに有することを特徴とする請求項１〜１０のいずれかに記載の舗装システム。
【請求項１２】
前記位置決め装置は、敷石間の十字接合部の幅を規定する所定の厚みを有するスラット（６）により構成されていることを特徴とする請求項１１に記載の舗装システム。
【請求項１３】
前記位置決め装置は、既に敷かれた敷石の隣り合う列間の長手方向の接合部を通って移動されるために設けられた複数の薄いプレート（１３）により構成されていることを特徴とする請求項１１に記載の舗装システム。
【発明の詳細な説明】
【技術分野】
【０００１】
本発明は、請求項１の前段に係る、不均一な敷石で機械的に舗装するための舗装システムに関する。
【背景技術】
【０００２】
現在、国の法令（例えば、１８０ｍ２よりも広い全ての事業に機械的な舗装（ペイビング）を義務づけるオランダのＡＲＢＯ法）の影響下にあろうとなかろうと、あらゆる種類の舗装材料（ペイビング材料）の機械的な舗装に対する関心および需要が高まっている。この動機は、機械的舗装は労力を大幅に軽減し、これにより、労働条件を改善し、ひいては、常習的欠勤とその結果生じるコストとを低減することである。さらに、機械的舗装によれば、敷石を相当速いペースで敷くことができ、（手作業の場合に比べて）職人としての必要条件が低くなる。
【０００３】
敷石設置装置は、例えば、れんが、タイル、一定で均一の寸法を有する他の敷石などといった、さまざまな種類の均一な敷石を設置することで知られている。これらの公知の装置は、（寸法として）略同一の敷石を必要とし、これにより、それらの適用性が限定される。そのような敷石設置装置は、例えば、米国特許第４４７９７３９号明細書および米国特許第５０３７２３６号明細書に開示されている。
【０００４】
機械的舗装が不均一な敷石に必要とされる場合、問題が生じる。ここでいう「不均一」とは、敷石が寸法上の大きな許容差、及び／又は、不規則な表面を有することを意味する。不均一な敷石の例としては、舗装用のコブルストーン、天然石の集合、過剰な許容差をもって形成された均一なタイルなどが挙げられる。前記不均一な敷石を舗装すると、不均一であることが原因で、各敷石を個別に考慮しなければならず、敷石毎に異なる扱いが必要となる。現在、不均一な敷石の舗装は、よく知られた従来（４００年来）の方法により行われている。この方法は、第１に、使用する敷石の面を決定し、第２に、他の敷石との関係において敷石を位置付け、これにより、全ての石に基礎地盤（foundation  bed）を適応させて、最後に、木槌で軽く叩くことにより基礎地盤に各敷石を固定することに基づく。今まで、不均一な敷石を用いる機械的舗装の方法は知られていない。なぜなら、このことは根本的に不可能であると考えられているためである。不均一な敷石を機械的に舗装するための好都合な解決法がないため、（例えばれんがのような）規則的な人工の石に対する（例えば天然石の集合のような）不均一な敷石の競合状況は悪化する一方である。
【発明の概要】
【０００５】
本発明の目的は、不均一な敷石を機械的に敷設できる舗装システムを提供することである。
【０００６】
この目的は、請求項１の技術的特徴を備えた舗装装置とともに本発明により達成される。
【０００７】
本発明の舗装システムは、適切に敷設するための順序付けられた形態で１組の不均一な敷石を予め順序付けるための事前順序付け部と、前記１組の不均一な敷石を前記順序付けられた形態で基礎地盤上へ移動させる運搬部とを有する。前記事前順序付け部および／または前記運搬部には、前記石の厚みの差を克服するために前記石の底面において一方の側面から他方の側面に亘って設けられた矩形の凹所に適合するように設けられた複数の補助ガイドレールが設けられている。該補助ガイドレールは、前記石の底面における凹所間の間隔に対応するように選択された、規則的な距離を相互に空けて延設されている。該補助ガイドレールはさらに、前記凹所の形状に相補的な所定の形状を有する。このようにして、前記補助ガイドレールは、前記事前順序付け部上で前記石を予め順序付ける間、及び／又は、前記運搬部上で前記石を移動させる間に、前記不均一な敷石の順序付けられた形態を規定する。
【０００８】
前記石の底面における前記凹所に相補的な前記補助ガイドレールを加えることによって、本発明の舗装システムは、不均一な敷石を用いて機械的に舗装するのに適切となる。ただし、例えば、全体を参照することにより本明細書に組み込まれる国際公開公報２００６／１３６５８９に記載された方法で、敷石の厚みの差を克服するために該石の底面に前記凹所を設けることにより、前記不均一な敷石の不均一さが部分的に克服されているという条件が必要である。このようにして、前記不均一な敷石には、前記石の均質性および均一性を創出するための特定の規則的な特徴が提供される。これらの規則的な特徴により、本発明のシステムを用いた機械的な舗装が可能となる。
【０００９】
本発明の好ましい実施形態に係る舗装システムにおいて、前記事前順序付け部は、前記補助ガイドレールが前記１組の不均一な敷石を支持するために載置される平らな支持面を有する。人間工学の理由により、この平らな支持面は、好ましくは作用高さ（約１．２ｍ）上に配置される。
【００１０】
本発明の好ましい実施形態に係る舗装システムにおいて、前記運搬部は、前記１組の不均一な敷石を前記平らな支持面から順序付けられた形態で持ち上げるとともに、該１組の敷石を前記基礎地盤上に載置するための保持装置を有する。この保持装置は、前記事前順序付け部から前記基礎地盤へ前記敷石を異動させるための簡単な解決法を形成し、操作する作業者が熟練者であることを要求しない。
【００１１】
好ましい実施形態において、前記保持装置は、前記１組の不均一な敷石を保持するための真空ユニットを有する。あるいは、前記保持装置は、前記１組の敷石を機械的に持ち上げるためのクランプを有してもよい。
【００１２】
本発明の好ましい実施形態に係る舗装システムにおいて、前記補助ガイドレールは、前記事前順序付け部の前記平らな支持面上に取り外し可能に設けられ、前記保持装置は、前記１組の不均一な敷石を前記補助ガイドレールとともに持ち上げるように設けられている。この実施形態では、前記補助ガイドレールは、前記敷石とともに前記基礎地盤上に載置され、舗装部において前記敷石用の永久的なキャリアとして機能する。
【００１３】
本発明の好ましい実施形態に係る舗装システムにおいて、前記運搬部は、前記事前順序付け部の前記補助ガイドレールを延長して構成された更なる補助ガイドレールを有し、該更なる補助ガイドレールは、前記事前順序付け部の高さから前記基礎地盤の高さへ（湾曲または傾斜した）斜め方向に延設され、前記１組の不均一な敷石を前記順序付けられた形態で前記基礎地盤へ移動させるためのスライド面を形成する。
【００１４】
本発明の好ましい実施形態に係る舗装システムにおいて、前記補助ガイドレールは、前記事前順序付け部の前記平らな支持面上に取り外し可能に設けられ、前記運搬部は、重力によって駆動される観覧車タイプの構造を有し、該観覧車タイプの構造は、前記補助ガイドレールを解放可能に保持するための解放可能な保持手段を有する。この実施形態において、前記敷石は、観覧車タイプの構造の前記解放可能な保持手段により前記補助ガイドレールとともに持ち上げられ、該全体が、重力の影響下にある前記観覧車タイプの構造の回転により前記支持面から前記基礎地盤へ前記順序付けられた形態で移動される。
【００１５】
本発明の好ましい実施形態に係る舗装システムにおいて、前記事前順序付け部と前記運搬部は、１つの舗装装置内で結合され、該舗装装置は、前記不均一な敷石が逆さまの状態で前記順序付けられた形態で予め順序付けられるコンベアベルトと、反転して前記不均一な敷石前記基礎地盤上に前記順序付けられた形態で載置するための、前記コンベアベルトの端部における曲がり部とを備え、前記曲がり部に、反転されながら前記不均一な敷石を前記順序付けられた形態で保持するために前記補助ガイドレールが設けられている。このような舗装装置の利点は、該舗装装置が、既に敷設された舗装部の上を移動できることであり、これにより、既に敷設された舗装部の前の基礎地盤の途絶を回避できる。さらに、移動する舗装装置の重さにより、既に敷設された舗装部がすぐに圧縮されることができ、これにより、表面がすぐに安定するという利点もある。
【００１６】
好ましい実施形態において、前記舗装装置は、前記曲がり部に前記補助ガイドレールを供給する供給装置を備え、前記曲がり部は、前記補助ガイドレールを前記不均一な敷石とともに前記基礎地盤上に載置するように設けられている。この実施形態では、前記補助ガイドレールは、前記敷石とともに前記基礎地盤上に載置され、舗装部において前記敷石用の永久的なキャリアとして機能する。
【００１７】
好ましい実施形態において、前記舗装システムは、前記基礎地盤上で前記不均一な敷石を先に敷かれた敷石に対して位置決めすることを援助するための位置決め装置を更に有する。このような位置決め装置の一例は、敷石間の十字接合部（cross joint）の幅を規定する所定の厚みを有するスラットである。別の例は、既に敷かれた敷石の隣り合う列間の長手方向の接合部を通って移動されるために設けられた複数の薄いプレートにより構成されている。
【図面の簡単な説明】
【００１８】
【図１】本発明に係る第１の実施形態の舗装システムを示す。
【図２】本発明に係る第２の実施形態の舗装システムを示す。
【発明を実施するための形態】
【００１９】
本発明は特定の実施形態について特定の図面を参照して説明されるが、本発明はそれに限定されず、請求項によってのみ限定される。描かれた図面は、概略図にすぎず、限定されるものでない。図面において、図示する目的でいくつかの要素の大きさは誇張され、縮尺通りに描かれていない。寸法および相対寸法は、本発明の現実の実施化に必ずしも対応していない。
【００２０】
さらに、本発明の説明および請求項における「第１」、「第２」、「第３」などの用語は、類似の要素を区別するために使用され、時間的な順序を説明するためには必ずしも使用されない。適当な状況下で用語の置き換えは可能であり、本発明の実施形態は、本明細書で説明されるか又は本図面で図示された以外の順序で動作してもよい。
【００２１】
さらにまた、本発明の説明および請求項における「頂部」、「底部」、「上」、「下」などの用語は、説明の目的で使用され、相対位置の説明には必ずしも使用されない。このように使用される用語は、適当な状況下で置き換え可能であり、本明細書に記載された本発明の実施形態は、本明細書で記載されるか又は本図面で図示された以外の方向に動作してもよい。
【００２２】
請求項で使用される「有する（comprising）」という用語は、その用語の前（thereafter）に記載された意味に限定されるものとして解釈されるべきでなく、他の要素またはステップを排除するものでない。前記用語は、記載された特徴、整数、ステップまたは要素の存在を記述のように特定するものとして解釈される必要があり、１つ又は複数の他の特徴、整数、ステップ、要素、又はそれらの集合の存在または付加を排除しない。したがって、「Ａ及びＢの手段を有する装置」という表現の範囲は、Ａ及びＢの要素のみからなる装置に限定されるべきでない。前記表現は、本発明について唯一関連する前記装置の要素がＡ及びＢであることを意味する。
【００２３】
不均一な敷石の機械的舗装を達成するために、先ず、敷石のために均質性および均一性を創出するための特定の規則的な特徴が、不均一な敷石に提供される。均質性は、例えば、国際公開公報２００６／１３６５８９に開示された原理を利用することにより達成することができる。この公報に開示されているように、それぞれの不均一な敷石は、該石の底面に好ましくは（ただし、これに限定されないが）２つの凹所が設けられ、これらの凹所は、石の一対の側面に沿って延び、連続的な断面を有し、相補的で規則的な形状を有し、敷石が敷設されるキャリアに適合させるために設けられている。各敷石のために、各凹所は、敷石の底面内において集合の全ての敷石にとって略等しい所定の第１の距離ｈに至るまで延びている。国際公開公報２００６／１３６５８９の原理を利用することにより、不均一な敷石が、根本的に（美的価値が）不均一に維持されることができるが、厚みＨおよび幅Ｂに大きなばらつきがある石αが、一定の減少した厚みｈと、一定で中心にある減少した幅ｂとを有する石βに適応するように、特定の規則的な特徴が設けられた石に変化する可能性が創出された。このように、石の厚みの差は克服することができる。
【００２４】
これらの不均一な敷石のためのある程度の均一性および均質性を得ることにより、不均一な敷石の機械的舗装のための大きな障害が取り除かれた。しかしながら、従来の舗装装置は、仮にある程度の均一性を達成するように適応したとしても、不均一な敷石を対処することは依然としてできない。
【００２５】
本発明は、国際公開公報２００６／１３６５８９に記載されている「改良された」不均一な敷石、又は、より一般的には、厚みの許容差が最初に非常に大きく、該厚みの差を克服するために底面に矩形の凹所が設けられたあらゆるタイプの天然若しくは人工の敷石を操作可能である、適切な舗装システムを提供する。特に、本発明の舗装システムは、表面の不均一さが大きい天然の荒い石を用いて機械的に舗装することを初めてできるようにしたものであるが、この種の石に限定されるものでない。
【００２６】
本発明により機械的に舗装される１組の敷石における各石は、上面と、底面と、上面から底面へ延びる複数の側面とを有する。これらの上面、底面及び側面は、均一または不均一な表面をそれぞれ有する。上面および底面に平行な接平面間で測定される前記石の厚みは、石によってある程度異なる。すなわち、石は均一の厚みを有さない。本発明によれば、各敷石の底面に、少なくとも１つの矩形の凹所が設けられている。この凹所は、敷石の一方の側面から他方の側面へ延設されるとともに、連続的な断面を有し、これにより、前記基礎地盤上において前記敷石が敷かれるべき、相補的で規則的な形状のキャリアに、前記凹所が適合するようになっている。各敷石にとって、各矩形の凹所は、上面の接平面から第１の距離まで底面内を延びる。この第１の距離は、前記１セットの全ての敷石で同一である所定の距離である。
【００２７】
このように「改良された」不均一な敷石を用いて舗装する際、前記敷石の底面における前記矩形の凹所に相補的な形状を有するキャリアが、平らにされた基礎地盤の表面に最初に載置され、その後、前記敷石が前記キャリア上に載置される。各凹所の頂部と前記石の上面の接平面との間には所定距離が空けられ、この距離は全ての石で等しいため、結果的に、全ての石の上面の接平面は略同一面となる。本質的でないが、通常、圧縮装置により圧縮し、適切な充填材により接合部を充填することにより、舗装が完了する。
【００２８】
前記石の底面の前記凹所が、一方の側面から他方の側面まで延びる矩形の凹所であることにより、複数の石を支持する矩形のキャリアを使用することができ、これにより舗装を一層安定させることができる。また、前記凹所の軸方向においてある程度の自由度がある利点を有し、これにより、前記キャリアに沿って前記石を最適な位置に達するまで前記凹所の軸方向に移動させることができるため、（凹所の軸方向において）長さが異なる石をランダムに敷くことができ、凹所の各端部において接合部の幅を任意に適応させることができる。前記キャリアの使用は創作性において制約を与えない。
【００２９】
前記敷石は、例えば、コブルストーン等の、ほとんど若しくは全ての面が不均一な表面である天然の荒い石、又は、当業者に知られた他のあらゆる天然の若しくは人工の敷石であってもよい。本発明は、例えば、異なる種類の石を混合して使用することもできる。すなわち、本発明は、例えば、天然の石を部分的に有するとともに人工の石を部分的に有する舗装にも適用することができる。
【００３０】
以下に説明されるとともに図面に示された本発明の種々の実施形態に係る舗装システムは、全て、１組の「改良された」不均一な敷石を平らにならされた基礎地盤上において適切に敷かれるように順序付けられた形態で予め順序付けるための事前順序付け部と、該事前順序付け部から前記基礎地盤上へ前記順序付けられた形態で前記１組の不均一な敷石を移動させるための運搬部とを有する。本発明によれば、前記事前順序付け部および／または前記運搬部には、複数の補助ガイドレールが設けられている。これら補助ガイドレールは、前記石の厚みの差を克服するために該石の底面において一方の側面から他方の側面に亘って設けられた矩形の凹所に適合するように設けられている。前記補助ガイドレールは、前記石の底面における凹所間の間隔に対応するように選択された所定の規則的な距離だけ相互に空けて延設されている。前記補助ガイドレールは、さらに、前記凹所の形状に相補的な所定の形状を有する。このようにして、前記補助ガイドレールは、前記事前順序付け部上で前記石を予め順序付ける間、及び／又は、前記運搬部上で前記石を移動させる間に、前記不均一な敷石の順序付けられた形態を規定する。
【００３１】
実際、前記補助ガイドレールは、前記事前順序付け部上でそのようにして配置され、これにより、一時的（又は、いくつかの実施形態では永久的）に、舗装部において前記敷石を支持するために基礎地盤上に載置された前記キャリアの代わりをする。前記補助ガイドレールは、山積みの敷石からの「テンプレート」を最初に形成するように機能し、該テンプレートの形成は、該テンプレートを全体として前記基礎地盤上に載置する前になされる。
【００３２】
本発明のシステムの第１の好ましい実施形態は、図１を参照して説明される。この実施形態において、前記システムは、事前順序付け部として、例えばテーブル３などの、平らな支持面を有する。該支持面は補助ガイドレール２を有し、これらの補助ガイドレール２は、使用される敷石１に依存して、１つの石の底面、または２列の石の底面における２つの連続的な凹所間の距離に対応する所定距離だけ相互から離れて設けられている。隣り合うガイドレール間の間隔は、実際の舗装における隣り合うキャリア８間の距離に略等しい。前記システムの前記運搬部は、前記の予め順序づけられた石１を、その平らな上面を維持しながら移動させる保持装置５で構成されている。この保持装置は、当業者に知られた保持装置の一種であり、例えば、（規則的な敷石を舗装するための従来の舗装装置における運搬装置の一部として前記真空装置が通常に使用されているのと同様に）運搬中に上面で前記石を保持するための真空装置４を有するか、又は、例えば、保持するための、及び／又は、１組の予め順序づけられた石を側面、上面、又は底面の少なくともいずれか１つの面で支持するための、「クランプ」などの機械的な器具を有する。
【００３３】
補助ガイドレール２は、舗装のための所望のパターン又は敷石の通常の形状に依存して、例えば、列を成して、又は、弓状、円状若しくは扇形のパターンで、又は、当業者に知られた他のあらゆるパターンにより、テーブル３の上に設けることができる。
【００３４】
補助ガイドレール２は、好ましくは断面長方形の平行６面体であるが、例えば、三角形、台形、半円形、円形、階段状、又は他の断面など、他のいかなる幾何学的形状も可能である。一般に、それらの形状は、前記石１の底面における前記凹所の形状の機能において決定される。
【００３５】
この第１の好ましい実施形態では、前記の改良された敷石１は、半自動的に舗装される。先ず、前記の改良された敷石は、前記補助ガイドレール２上に手作業で置かれる。しかし、その一方で、前記補助ガイドレールからの順序づけられた前記敷石の移動と、基礎地盤への配置とは、保持装置５により実行され、該保持装置５は、サーボ支援装置、又は、所要の吊り上げ力を供給する滑車システムから吊り下げられた装置であってもよい。保持装置５は、（前記石の吊り上げがサーボ支援されたまま）基礎地盤７上の適切なキャリア８の上に敷石１が置かれる位置へ、機械的に導かれるか、又は、手動で案内されることができる。選択的に、最終的な位置決めにおける援助のために、機械的または光学的な位置決め装置を使用してもよい。そのような位置決め装置の例は、順序づけられる敷石の隣り合うセット間の最小限の十字接合部を提供するための、保持装置５の後ろにある薄いスラット（薄板）６である。このように、敷石は更に早いペースで敷くことができる。
【００３６】
第１の好ましい実施形態は、敷石を手動で何度も繰り返して吊り上げなくても済み、複数の敷石を同時に吊り上げ及び舗装できるため、完全に手動で舗装する方法と比較して実際の労力が相当軽減される点で有利である。その上、前記利点に加えて、この第１の好ましい実施形態は重要な利点を有する。この利点は、かなり簡単な解決法を提供することであり、該解決法は、前記システム自体が相当フェイルセーフであり、前記システムが未熟な作業者が扱うのにあまり複雑でないことを意味する。さらに、この第１の好ましい実施形態は、補助ガイドレール上で前記石を順序づける手動の操作が「作用高さ」まで上昇されているという人間工学の利点を有する。
【００３７】
図１に示す実施形態に代わる実施形態（図示せず）において、補助ガイドレール２はテーブル３の上に取り外し可能に配置されてもよく、補助ガイドレール２により、１組の石を保持して持ち上げるようにした保持装置５を使用してもよい。補助ガイドレールを保持する保持装置に設けられた機械的手段は、例えば、クランプユニット、又は、当業者に知られたあらゆる他の機械的手段であってもよい。この実施形態において、補助ガイドレールは、前記石と共に基礎地盤に配置され、実質的に、敷石の永久的なキャリア８になる。この実施形態は、特に、真空ユニットにより持ち上げ難い表面の凹凸が大きな石のために、テーブル３から前記石を持ち上げて、該石の正しく並べられた形態を維持しながら基礎地盤の上へ移動させるのを容易にするためのシンプルな解決法を形成することができる。
【００３８】
この実施形態において、補助ガイドレール２は、敷石が敷かれる所定パターンに従って、固定手段により相互に固定された関係においてテーブル３の上に有利に配置されることができる。前記固定手段は、例えば、基礎に又は相互にキャリアをしっかりと固定するねじ又は釘により構成され得る。この固定された関係は、敷石の安定性をさらに高めることができる。
【００３９】
永久的なキャリア８として使用することが意図された補助ガイドレール２は、木、石、金属、樹脂材料、又は、当業者に知られた他のあらゆる材料で構成することができる。好ましくは、エコロジーの理由で、再生プラスチックからなるレールが使用される。
【００４０】
さらに別の実施形態（図示せず）において、図１に示されるテーブルは、可動式装置に一体化されるようにしてもよく、該可動式装置は、その移動部分において、事前順序付け部の前記補助ガイドレールを延長して構成された更なる補助ガイドレールを有し、該更なる補助ガイドレールは、前記事前順序付け部の高さから基礎地盤の高さまで斜め方向に延びるとともに、正しく順序づけられた形態で１組の不均一な敷石を基礎地盤へ移動させるためのスライド面を構成する。この可動式装置は、基礎地盤に沿って容易に移動でき、敷石は、前記更なる補助ガイドレールに沿ってスライドすることによりキャリア８の上へ移動される。
【００４１】
さらに別の実施形態（図示せず）において、補助ガイドレールは、例えばテーブル３など、平坦な支持面上に取り外し可能に配置され、前記敷石は、重力によって駆動される観覧車タイプの構造により補助ガイドレールに沿って基礎地盤へ移動される。それに加えて、前記観覧車タイプの構造は、補助ガイドレールを解放可能に保持するための解放可能な保持手段を有する。この実施形態において、前記敷石は、観覧車タイプ構造の前記解放可能な保持手段により補助ガイドレールに沿って持ち上げられ、重力の影響下で観覧車タイプ構造の回転により、前記順序づけられた形態で前記支持面から基礎地盤へ全体が移動される。前記解放可能な保持手段は、前記観覧車の回転中に、補助ガイドレールと敷石とで構成された全体が略水平な位置に維持されるように前記観覧車にぶら下げされ、これにより、前記の順序づけられた形態の途絶を回避可能となっている。それで、前記観覧車タイプ構造は、エンタテイメント産業から知られる大観覧車、すなわち、ゴンドラが水平位置に維持されたまま該ゴンドラ内の人が最大高さに上昇される複数のゴンドラを有する観覧車の小さなバージョンを意味する。
【００４２】
本発明のシステムの第２の好ましい実施形態は、図２を参照して説明される。この実施形態において、前記事前順序付け部と、本発明のシステムの可動部分とは、１つの機械に結合されている。該機械は、事前順序付け部においてコンベアベルト１０を有し、このコンベアベルトの頂部で、敷石１は、上面が下側となるように、すなわち、敷石の凹所が上方を向くように位置付けられる。コンベアベルト１０が反転する該ベルトの端部１４における曲がり部１１において、前記敷石は、前記ベルトと共に反転されて、供給装置１２から曲がり部１１へ供給される柔軟なキャリア１８と共に基礎地盤７の表面に配置される。曲がり部１１において、柔軟なキャリア１８は、曲げられて、コンベアベルト１０へ該コンベアベルトの形状に追従するように押し込まれ、これにより、前記敷石は、反転されているときに前記順序づけられた形態に維持される。柔軟なキャリア１８は、本発明の趣旨における補助ガイドレールを構成する。さらに、前記曲がり部への安定した前記石の供給を確保するために、固定された補助ガイドレールも前記コンベアベルト上に供給されるようにしてもよいが、このことは絶対不可欠でない。
【００４３】
この第２の好ましい実施形態において、前記敷石は、完全に機械的に舗装されることができる。その改良された敷石は、順序づけられていない石の集団として図２の舗装装置に供給され得る。前記舗装装置の第１の部分（図示せず）において、前記敷石は、所望の方向に方向付けられることができ、コンベアベルト１０の上で逆さまに配置され得る。前記第１の部分は、例えば、場合により、前記石のいずれの面を上面とするか、及び、どのようにして前記石をコンベアベルト上に配置するかを決定するための例えば光学的手段および加工手段（processing means）により援助されながら、前記石を保持して反転させるための適当なクランプを備えた複数のロボットアームを有してもよい。あるいは、この予め順序づけるステップも、手動でもたらされてもよい。舗装装置の曲がり部１１において、前記敷石は、建設中に舗装部（ペイブメント）の適所へ機械的に移動される。実用的に、この移動の段階は、３つの動作を有する。第１に、完成された舗装部の上で舗装装置を該舗装部の適所へ移動させることにより、前記敷石の全体的な移動が生じる。第２に、前記敷石は、前記コンベアベルト上を曲がり部１１へ移動し、第３に、前記敷石は、前記舗装装置の内部から実際の舗装部へ案内される。最終的に、前記敷石は、場合によっては、すでに配置された敷石に対する相対的な位置を決定するための機械的または光学的な位置決め装置１３，１５により援助されながら、キャリア１８上で機械的に配置および位置付けられる。前記舗装装置の第２の好ましい実施形態の主要な利点は、舗装が非常に速く遂行されること、及び、全てが順調に進んでいるかどうかと、満足な結果が達成されているかどうかとを作業員が頻繁に確認する必要がないことである。前記舗装装置のこの好ましい実施形態は、大きなプロジェクトの舗装および均一で均質の舗装部分のための望ましい解決法である。
【００４４】
代わりの実施形態（図示せず）において、前記曲がり部によって前記石が置かれる前記キャリアは、事前のステップにおいて、手動、又は、前記キャリアを配置するための分離装置のいずれかにより、前記基礎地盤上へ配置されるようにしてもよい。この場合、前記舗装装置の曲がり部１１は、反転するときにコンベアベルト１０に対して順序づけられた形態で前記石を保持するために、固定された補助ガイドレールを有する。代わりに、前記曲がり部は、前記敷石がその自重の結果として滑り通る、固定された半円形の傾斜台により構成されるようにしてもよい。
【００４５】
位置決め装置１３は、キャリア１８と敷石１の位置決めを支援するために設けられている。特に、位置決め装置１３は、前記舗装装置を案内して直線路を確保するために、既に敷かれた舗装部の結合部内へ部分的に延びる複数の薄いプレートを有する。表面の不規則さが大きい石を舗装するとき、前記プレート１３は、前記結合部の中間（中央）を通ることができるように十分に薄くなければならない。
【００４６】
規則的に作られた不均一な敷石がキャリア１８上に正しく配置されることを達成するために、特に、隣り合う石の間の十字形の結合部が所要の幅を採用するように（且つ、前記舗装部が所要の配置を採用するように）前記キャリア上の前記敷石を順序づけるために、選択的に、敷石の相互に対する相対的な位置を決定するための機械的または光学的な装置が使用されてもよい。前記敷石は、キャリア１８と共に前記曲がり部１１を進み、キャリア１８は、比較的遅いペースで前記曲がり部を同様に進む。同じ列の後続の敷石の間の十字形の結合部を操作するために、所定の時間間隔（所定の頻度）で開く蓋１５を設けてもよい。あるいは、曲がり部１１の底部に傾斜を設けてもよい。前記機械的な蓋１５の頻度と、前記曲がり部の底部の傾斜とは、いずれも前記結合部に必要な幅の機能で制御されるようにしてもよい。さらに、前記機械的な蓋の頻度と、前記傾斜とはそれぞれ前記舗装装置のスピードと前記石の寸法（高さ）とに依存する。
【００４７】
上述の全ての実施形態において、前記システム及びその一部を敷石の様々な寸法に適合させるために、例えば、前記補助ガイドレール間の間隔を調整する調整手段、または、前記補助ガイドレールと前記コンベアベルトとの間隔を調整する調整手段、または、その他の調整手段を一体化してもよい。
【符号の説明】
【００４８】
１：敷石、２：補助ガイドレール、３：テーブル、４：真空ユニット、５：保持装置、６：スラット、７：基礎地盤、８：キャリア、１０：コンベアベルト、１１：曲がり部、１３：位置決め装置、１４：コンベアベルトの端部、１５：蓋、１８：キャリア。
【図１】
2010539355.tif 000003
【図２】
2010539355.tif 000004
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
敷くのに適するように順序付けられた形態で１組の敷石を予め順序付けるための事前順序付け部（３，１０）と、
基礎地盤（７）上に前記順序づけられた形態で前記１組の敷石を移動させるための運搬部（５，１１）と、を備えた、不均一な敷石で機械的に舗装するための舗装システムであって、
前記事前順序づけ部及び／又は前記運搬部に、前記敷石の厚みの差を克服するために前記敷石の底面において一方の側面から他方の側面まで形成された矩形の凹所に適合するための複数の補助ガイドレールが設けられ、
該補助ガイドレールは、前記凹所間の間隔に対応するように選択された規則的な距離を相互に空けて延設されるとともに、前記凹所の形状に相補的となるように選択された所定の形状を有することを特徴とする舗装システム。
【請求項２】
前記事前順序づけ部（３）は、前記１組の不均一な敷石を支持するために前記補助ガイドレール（２）が載置される平らな支持面を有することを特徴とする請求項１に記載の舗装システム。
【請求項３】
前記運搬部は、前記平らな支持面から前記１組の不均一な敷石を順序づけられた形態で持ち上げ、且つ、該１組の敷石を前記基礎地盤上に載置するための保持装置（５）を有することを特徴とする請求項２に記載の舗装システム。
【請求項４】
前記保持装置（５）は、前記１組の不均一な敷石を保持するための真空ユニット（４）を有することを特徴とする請求項３に記載の舗装システム。
【請求項５】
前記保持装置は、前記１組の不均一な敷石を機械的に持ち上げるためのクランプを有することを特徴とする請求項３に記載の舗装システム。
【請求項６】
前記補助ガイドレールは、前記事前順序づけ部の前記平らな支持面上に取り外し可能に配置され、
前記保持装置は、前記補助ガイドレールに沿って前記１組の不均一な敷石を持ち上げるように設けられていることを特徴とする請求項３に記載の舗装システム。
【請求項７】
前記運搬部は、前記事前順序づけ部の前記補助ガイドレールを延長して構成された更なる補助ガイドレールを有し、
該更なる補助ガイドレールは、前記事前順序づけ部の高さから前記基礎地盤の高さまで傾斜方向に延設され、且つ、前記１組の不均一な敷石を前記順序づけられた形態で前記基礎地盤へ移動させるためのスライド面を形成することを特徴とする請求項２に記載の舗装システム。
【請求項８】
前記補助ガイドレールは、前記事前順序づけ部の前記平らな支持面上に取り外し可能に配置され、
前記運搬部は、重力によって駆動される観覧車タイプ構造を有し、
該観覧車タイプ構造は、前記補助ガイドレールを解放可能に保持するための解放可能保持手段を有することを特徴とする請求項２に記載の舗装システム。
【請求項９】
前記事前順序付け部（１０）と前記運搬部（１１）とは、１つの舗装装置内で結合されており、
該舗装装置は、前記不均一な敷石が逆さまの状態で前記順序付けられた形態で予め順序付けられるコンベアベルト（１０）と、反転して前記不均一な敷石を前記基礎地盤上に前記順序付けられた形態で載置するための、前記コンベアベルトの端部（１４）における曲がり部（１１）とを備え、
該曲がり部（１１）に、反転されながら前記不均一な敷石を前記順序付けられた形態で保持するために前記補助ガイドレールが設けられていることを特徴とする請求項１に記載の舗装システム。
【請求項１０】
前記舗装装置は、前記曲がり部（１１）に前記補助ガイドレール（１８）を供給するための供給装置（１２）を備え、
前記曲がり部は、前記補助ガイドレールを前記不均一な敷石とともに前記基礎地盤上に載置するように設けられていることを特徴とする請求項９に記載の舗装システム。
【請求項１１】
前記基礎地盤上で前記不均一な敷石を先に敷かれた敷石に対して位置決めすることを援助するための位置決め装置（６，１３，１５）をさらに有することを特徴とする請求項１〜１０のいずれかに記載の舗装システム。
【請求項１２】
前記位置決め装置は、敷石間の十字接合部の幅を規定する所定の厚みを有するスラット（６）により構成されていることを特徴とする請求項１１に記載の舗装システム。
【請求項１３】
前記位置決め装置は、既に敷かれた敷石の隣り合う列間の長手方向の接合部を通って移動されるために設けられた複数の薄いプレート（１３）により構成されていることを特徴とする請求項１１に記載の舗装システム。
【請求項１４】
請求項１〜請求項１３のいずれかに記載の舗装システムと、１組の不均一な敷石とを備え、
該敷石の厚みの差を克服するために、該敷石の底面において該敷石の一方の側面から他方の側面に亘って矩形の凹所が設けられているシステム。
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
１組の不均一な敷石であって、該敷石の厚みの差を克服するために該敷石の底面において該敷石の一方の側面から他方の側面に亘って矩形の凹所が設けられている敷石と、
不均一な敷石で機械的に舗装するための舗装システムとを備え、
該舗装システムは、
敷くのに適するように順序付けられた形態で前記１組の敷石を予め順序付けるための事前順序付け部（３，１０）と、
基礎地盤（７）上に前記順序づけられた形態で前記１組の敷石を移動させるための運搬部（５，１１）と、を備え、
前記事前順序づけ部及び／又は前記運搬部に、前記矩形の凹所に適合するための複数の補助ガイドレールが設けられ、
該補助ガイドレールは、前記凹所間の間隔に対応するように選択された規則的な距離を相互に空けて延設されるとともに、前記凹所の形状に相補的となるように選択された所定の形状を有するシステム。
【請求項２】
前記事前順序づけ部（３）は、前記１組の不均一な敷石を支持するために前記補助ガイドレール（２）が載置される平らな支持面を有する請求項１に記載のシステム。
【請求項３】
前記運搬部は、前記平らな支持面から前記１組の不均一な敷石を順序づけられた形態で持ち上げ、且つ、該１組の敷石を前記基礎地盤上に載置するための保持装置（５）を有する請求項２に記載のシステム。
【請求項４】
前記保持装置（５）は、前記１組の不均一な敷石を保持するための真空ユニット（４）を有する請求項３に記載のシステム。
【請求項５】
前記保持装置は、前記１組の不均一な敷石を機械的に持ち上げるためのクランプを有する請求項３に記載のシステム。
【請求項６】
前記補助ガイドレールは、前記事前順序づけ部の前記平らな支持面上に取り外し可能に配置され、
前記保持装置は、前記補助ガイドレールに沿って前記１組の不均一な敷石を持ち上げるように設けられている請求項３に記載のシステム。
【請求項７】
前記運搬部は、前記事前順序づけ部の前記補助ガイドレールを延長して構成された更なる補助ガイドレールを有し、
該更なる補助ガイドレールは、前記事前順序づけ部の高さから前記基礎地盤の高さまで傾斜方向に延設され、且つ、前記１組の不均一な敷石を前記順序づけられた形態で前記基礎地盤へ移動させるためのスライド面を形成する請求項２に記載のシステム。
【請求項８】
前記補助ガイドレールは、前記事前順序づけ部の前記平らな支持面上に取り外し可能に配置され、
前記運搬部は、重力によって駆動される観覧車タイプ構造を有し、
該観覧車タイプ構造は、前記補助ガイドレールを解放可能に保持するための解放可能保持手段を有する請求項２に記載のシステム。
【請求項９】
前記事前順序付け部（１０）と前記運搬部（１１）とは、１つの舗装装置内で結合されており、
該舗装装置は、前記不均一な敷石が逆さまの状態で前記順序付けられた形態で予め順序付けられるコンベアベルト（１０）と、反転して前記不均一な敷石を前記基礎地盤上に前記順序付けられた形態で載置するための、前記コンベアベルトの端部（１４）における曲がり部（１１）とを備え、
該曲がり部（１１）に、反転されながら前記不均一な敷石を前記順序付けられた形態で保持するために前記補助ガイドレールが設けられている請求項１に記載のシステム。
【請求項１０】
前記舗装装置は、前記曲がり部（１１）に前記補助ガイドレール（１８）を供給するための供給装置（１２）を備え、
前記曲がり部は、前記補助ガイドレールを前記不均一な敷石とともに前記基礎地盤上に載置するように設けられている請求項９に記載のシステム。
【請求項１１】
前記舗装システムは、前記基礎地盤上で前記不均一な敷石を先に敷かれた敷石に対して位置決めすることを援助するための位置決め装置（６，１３，１５）をさらに有する請求項１に記載のシステム。
【請求項１２】
前記位置決め装置は、敷石間の十字接合部の幅を規定する所定の厚みを有するスラット（６）により構成されている請求項１１に記載のシステム。
【請求項１３】
前記位置決め装置は、既に敷かれた敷石の隣り合う列間の長手方向の接合部を通って移動されるために設けられた複数の薄いプレート（１３）により構成されている請求項１１に記載のシステム。
【国際調査報告】
2010539355.tif 000005
2010539355.tif 000006
2010539355.tif 000007